(57)【要約】      （修正有）【課題】照明装置の保守点検作業が安全でかつ容易であり、作業も短時間で完了し、しかも、ＬＥＤ使用によりランプ交換サイクルを長くして、保守点検作業を軽減した乗客コンベアを提供する。【解決手段】循環走行する踏段の上方に天井が形成され、該天井に照明装置９が設置された乗客コンベアにおいて、該天井は踏段の走行方向に沿った放光部を有し、該放光部に放光部から光を放出する複数の照明装置７を放光部に沿って引き出し可能に連結して配置した。【選択図】図６
2013006666.tif 000002
【特許請求の範囲】
【請求項１】
循環走行する踏段の上方に天井が形成され、該天井に照明装置が設置された乗客コンベアにおいて、
該天井は、踏段の走行方向に沿った放光部を有し、
該放光部に、放光部から光を放出する複数の照明装置を、放光部に沿って引き出し可能に連結して配置した
ことを特徴とする乗客コンベア。
【請求項２】
天井が、複数台の乗客コンベアがそれぞれ鉛直方向に平行に設置されたうちの上方の乗客コンベアのトラスを取り囲む外装体の下面であることを特徴とする請求項１に記載の乗客コンベア。
【請求項３】
放光部に、踏段の走行方向に沿って、下方が開口し、左右の側壁を有するレールを設け、該レール内をスライドするように照明装置を配置したことを特徴とする請求項１又は２に記載の乗客コンベア。
【請求項４】
照明装置を紐で連結すると共に紐巻取装置を設置したことを特徴とする請求項１〜３のいずれか１項に記載の乗客コンベア。
【請求項５】
照明装置の光源が発光ダイオードであることを特徴とする請求項１〜４のいずれか１項に記載の乗客コンベア。
【発明の詳細な説明】
【技術分野】
【０００１】
本発明の実施形態は、乗客コンベアに関する。
【背景技術】
【０００２】
一般的にエスカレータ全体を照らす照明装置としては、複数台のエスカレータが鉛直方向に平行に設置される場合は、上方のエスカレータのトラスを囲む外装体の傾斜面からなる底部に、下方を照らす照明装置が配設されている。この照明装置、例えば蛍光灯は定期的に清掃及び交換等の保守点検作業を行う必要がある。従来では下方のエスカレータの踏段上に脚立を置いて保守点検作業を行う方法が提案されているが、エスカレータが設置された建物の階床高さが高い場合、例えば約６〜８ｍも有る場合は、相当長い寸法を有する脚立を必要とし、またその下端部を、階段状になっている踏段に確実に支持させるための大掛かりな構成が必要であり、作業者には少なからず危険が伴うものであった。また、トラスを囲む外装体の底板を下方へ垂下可能にして保守点検作業を行う方法が提案されているが、底板を下方へ垂下させ、下階にて作業を行うため安全性は確保できるものの外装体全体を変位させるという大掛かりな構成が必要である。さらに、エスカレータ底部に位置する強度維持部材であるトラスに、梯子を吊持可能とする吊持手段を設けて照明装置の保守点検作業を行う方法が提案されているが、長尺の梯子を必要とし、トラスの照明装置が配置される箇所毎に吊持手段を設けるという大掛かりな構成が必要となる。
【０００３】
また、従来より照明装置の光源として蛍光灯を使用することが一般的であるが、蛍光灯では突然にランプ切れが発生した場合に前述のように保守点検作業が余儀なくされる。エスカレータにおける光源として発光ダイオード（以下、単に「ＬＥＤ」という。）の使用例があるが、エスカレータの表示装置として使用したり、乗客が乗降する乗降口の近傍に位置する踏面が上面側の踏段とこの踏段の下方に位置する踏面が下面側の反転した踏段との間に、乗客の注意を喚起する照明装置として使用するものが一般的であり、エスカレータ全体を照らす照明装置としての光源にＬＥＤを使用し、ＬＥＤの長期の寿命により保守点検作業を軽減する提案もなされている。
【先行技術文献】
【特許文献】
【０００４】
【特許文献１】特開２００７−２２３７２０号公報
【特許文献２】特開２００２−１４０９０１号公報
【発明の概要】
【発明が解決しようとする課題】
【０００５】
上記従来の照明装置の保守点検作業は何れも大掛かりなものであって作業コストが高く、しかも、作業者の安全性確保にも相当の注意が必要であり、作業者の安全性確保のため、その都度専用足場を組む等の準備作業が必要となり、保守点検に長時間を要していたのが実情である。また、ＬＥＤを光源とした照明装置を使用する場合でも、配線不良や照明装置を構成する他の部品などに故障が生じる場合があり、やはり、定期的な保守点検作業を行わざるを得ないのが実情である。
【０００６】
本発明の実施形態は、照明装置の保守点検作業が安全でかつ容易であり、保守点検作業も短時間で完了し、しかも、ＬＥＤ使用によりランプ交換サイクルを長くして、保守点検作業を軽減した乗客コンベアの提供を目的とするものである。
【課題を解決するための手段】
【０００７】
本発明の実施形態に係る乗客コンベアは、循環走行する踏段の上方に天井が形成され、該天井に照明装置が設置された乗客コンベアにおいて、該天井は、踏段の走行方向に沿った放光部を有し、該放光部に、放光部から光を放出する複数の照明装置を、放光部に沿って引き出し可能に連結して配置したことを特徴とするものである。
【図面の簡単な説明】
【０００８】
【図１】エスカレータの概略側面図である。
【図２】トラスと外装板との間にＬＥＤランプユニットを組み込んだ状態を表す概略断面図である。
【図３】レールにＬＥＤランプユニットを配置した状態を示す概略図であって、（ａ）は側面図であり、（ｂ）は正面図である。
【図４】エスカレータの下部側水平部の照明装置を取り外す状態を示す概略側面図である。
【図５】エスカレータの上部側水平部の照明装置を取り外す状態を示す概略側面図である。
【図６】エスカレータの傾斜部の照明装置を取り外す状態を示す概略側面図である。
【図７】エスカレータの上部側拡大図であって、（ａ）は側面図であり、（ｂ）は平面図である。
【発明を実施するための形態】
【０００９】
以下、本発明の実施例に係る乗客コンベアについて、図面を参照して説明する。
【実施例１】
【００１０】
図１に示すように、上階と下階に跨ってエスカレータ１、２・・・がそれぞれ鉛直方向に平行に設置されている。このエスカレータ１、２・・・には、それぞれトラス３が設けられ、このトラス３内に設けられた不図示のガイドレールに案内支持されて多数の踏段が循環走行するようになっている。
【００１１】
トラス３は、長手方向一端部の上階機械室内に不図示の駆動装置が設けられ、この駆動装置には、伝達継手、減速機構を介して動力駆動チェーンが連結され、この駆動チェーンにより駆動スプロケットが駆動され、トラス３の長手方向他端部の下階機械室内には、不図示の従動スプロケットが設けられ、この駆動スプロケットと従動スプロケットとに無端状の踏段チェーンが巻き掛けられ、この踏段チェーンに多数の踏段が等ピッチで連結されている。踏段は、その前後に前輪および後輪が取付けられており、これら前輪および後輪を介してトラス３内に設けられた往路ガイドレール、帰路ガイドレールおよび反転ガイドレールからなるガイドレールに案内支持されることにより、多数の踏段は、踏段チェーンの移動に連動して循環走行するようになっている。踏段が反転する位置の近傍は、利用客の乗降口となり、乗降口のトラス３上には乗降板が設けられている。トラス３の幅方向両側には欄干４が立設され、この欄干４の上部には多数の踏段と同期して走行する手すりベルト５が設けられている。これら手すりベルト５および踏段は、上階機械室内に設置された制御装置により駆動制御される。
【００１２】
トラス３の底部には外装板６が取付けられており、外装板６には、ＬＥＤを光源とする複数のランプユニット７からなる照明装置８、９、１０が設けられ、外装板６の下方、すなわち、下段のエスカレータを照らすようになっている。該外装板６には、踏段の走行方向に沿った放光部１１が設けられており、照明装置８、９、１０の光が放出できるようになっている。すなわち、放光部１１は、外装板６に踏段の走行方向に沿って形成された長穴を、図２に示すように、透明板で覆うことにより構成され、透明板の上方にランプユニット７を設置して、透明板からランプユニット７の光が放出されるようになっている。なお、踏段の走行方向に沿った長穴を形成しただけの構成としてもよく、その場合には、ランプユニット７をそのランプ部７ａが外装板６外に露出するように設置する。また、放光部１１には、レール１２が設けられ、該レール１２内をランプユニット７がスライドするように構成されている。
【００１３】
照明装置８、９、１０は、それぞれ下部側水平部の照明装置８、傾斜部照明装置９及び上部側水平部の照明装置１０とから構成される。照明装置８、９、１０を構成するランプユニット７は、図３に示すように、蛍光灯状の円筒内に多数のＬＥＤを配設したランプ部７ａと、レール１２内に収納される点灯回路及びレール１２内の電極との電気接続手段を備えたレール内収納体７ｂとから構成される。特に、傾斜部照明装置９は通常、配設距離が長いために、複数のランプユニット７を連結して配置される。
【００１４】
レール１２は、踏段の走行方向に沿って、下方が開口し、左右の側壁を有するものであって、例えば断面ほぼＣ字形で細長く形成され、開口部両端に内向きの鍔が形成されたもの（例として「ライティングレール（登録商標）」と呼ばれるもの）を使用し、レール１２内にはランプユニット７に電源を供給する電極が長さ方向に沿って配されており、レール１２内にランプユニット７のレール内収納体７ｂが収納されるとレール内収納体７ｂに電源が供給され、ランプ部７ａが点灯する仕組みになっている。
【００１５】
次に、ランプユニット７の取り出し及び収納について説明する。下部側水平部の照明装置８及び上部側水平部の照明装置１０は、ランプユニット７が水平方向に配置され、かつ、作業足場も水平であるため、外装板６を開口してレール１２からランプユニット７を引き出す。すなわち、図４に示すように、下部側水平部の照明装置８については外装板６を矢符ａで示すように下方に開口し、矢符ｂで示すようにレール１２からランプユニット７を引き出す。その後、矢符ｃで示すように新たなランプユニット７をレール１２内に収納し、矢符ｄで示すように外装板６を上方に持ち上げて閉塞することにより完了する。また、図５に示すように、上部側水平部の照明装置１０については外装板６を矢符ｅで示すように下方に開口し、矢符ｆで示すようにレール１２からランプユニット７を引き出す。その後、矢符ｇで示すように新たなランプユニット７をレール１２内に収納し、矢符ｈで示すように外装板６を上方に持ち上げて閉塞することにより完了する。傾斜部照明装置９については、図６に示すように、下部側水平部の外装板６を矢符ｉで示すように下方に開口し、矢符ｊで示すようにレール１２から複数の連結されたランプユニット７を引き出す。その後、矢符ｋで示すように新たなランプユニット７をレール１２内に収納し、矢符ｌで示すように外装板６を上方に持ち上げて閉塞することにより完了する。なお、本実施例においては、傾斜部照明装置９におけるランプユニット７の収納を容易にするために、図７に示すように、傾斜部照明装置９の上端側の上部側照明装置１０付近に紐巻取装置１３を設け、傾斜部照明装置９における複数のランプユニット７を紐、好ましくはワイヤー１４で連結し、ワイヤー１４の上端部は紐巻取装置１３に巻き付けられた構成となっている。このように構成したことにより、傾斜部照明装置９におけるランプユニット７を引き出す際には、ワイヤー１４が紐巻取装置１３から引き出され、ワイヤー１４から古いランプユニット７を取り外して、新たなランプユニット７をワイヤー１４に取り付け、紐巻取装置１３によりワイヤー１４を巻き取ることにより、新たなランプユニット７は引き上げられて、レール１２内に収納されることになる。
【００１６】
以上のように、本実施例に係る乗客コンベアは、エスカレータ１、２・・の本体であるトラス３と外装板６との間に設置された下方のエスカレータを照らすＬＥＤ照明装置８、９、１０が専用レール１２内に組み込んであり、これによりエスカレータ下部水平側のみで上部水平側以外の全てのランプユニット７を取り出し交換することができる。したがって、これまでのランプ交換時の傾斜部での作業をなくした安全かつ容易にできる照明装置を備えた乗客コンベアを提供することができる。また、エスカレータの本体であるトラス３と外装板６の間に設置された紐巻取装置１３にてユニットランプ７を専用レール１２から取り出し及び収納することができる。さらに、光源をＬＥＤ化したことによりユニットランプ７の長寿命・省エネ化も合わせて環境改善ができる。
【００１７】
このように、本実施例に係る乗客コンベアは、従来と同じく外装照明ランプが外装板内に配置されているが、本発明にはランプ支えを個々に設置するのではなく外装板６とエスカレータ本体であるトラス３との隙間に納まる専用レール１２を設置し、その中をランプユニット７が数珠繋ぎにスライド可能に配列した。また、ランプユニット７への配線はコネクターにてダイレクトに結線されるので、従来の渡り配線ケーブルは必要としない。
【００１８】
したがって、従来のランプ交換作業では専用の足場をエスカレータの傾斜部における踏段上に設置して照明装置を交換していたが、本実施例は下部側照明装置８を外して傾斜部照明装置９を取り外すことができるので、作業面でも水平なところでの作業となり、専用足場も要らない。また、上部側外装板６内に設けてある紐巻取装置１３にてランプユニット７を順に引き上げていけば復帰作業も簡単にできる。
【００１９】
なお、本実施例はエスカレータについて説明したが、動く歩道における踏段に対しても適用できるものである。また、実施の形態は例示であり、発明の範囲は実施の形態に限られるものではない。
【００２０】
以上のように本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２１】
１・・・エスカレータ
２・・・エスカレータ
３・・・トラス
４・・・欄干
５・・・手すりベルト
６・・・外装板
７・・・ランプユニット
７ａ・・ランプ部
７ｂ・・レール内収納体
８・・・下部側水平部照明装置
９・・・傾斜部照明装置
１０・・上部側水平部照明装置
１１・・放光部
１２・・レール
１３・・紐巻取装置
１４・・ワイヤー
【図１】
2013006666.tif 000003
【図２】
2013006666.tif 000004
【図３】
2013006666.tif 000005
【図４】
2013006666.tif 000006
【図５】
2013006666.tif 000007
【図６】
2013006666.tif 000008
【図７】
2013006666.tif 000009